(57)【要約】【課題】複合機において、ある機能の各種設定をしている際に、別の機能を誤操作により選択されることを防止でき、かつ、使用者が効率よく利用することができるタッチパネル式の操作表示装置を提供する。【解決手段】各種操作に対応した複数の機能キー２１〜２４が、同時に表示部９に表示されるタッチパネル式の操作表示装置において、一の前記機能キーが選択された場合に、選択されなかった他の前記機能キーが押圧されても該機能キーからの入力要求を不許可とする無効手段を設けた。【選択図】図７
2008009611.tif 000002
【特許請求の範囲】
【請求項１】
各種操作に対応した複数の機能キーが、同時に表示部に表示されるタッチパネル式の操作表示装置において、
一の前記機能キーが選択された場合に、選択されなかった他の前記機能キーが押圧されても該機能キーからの入力要求を不許可とする無効手段を設けたことを特徴とするタッチパネル式の操作表示装置。
【請求項２】
前記複数の機能キーの動作状況が常に前記表示部に表示されることを特徴とする請求項１に記載のタッチパネル式の操作表示装置。
【発明の詳細な説明】
【技術分野】
【０００１】
本発明は、コピー、プリンタ、ファクス及びスキャナなどの複数の機能を有する複合機に搭載されたタッチパネル式の操作表示装置に関するものである。
【背景技術】
【０００２】
従来から、複合機に搭載されたタッチパネル式の操作表示装置の表示部に複数の機能が一の画面上に分割して表示されるものが知られている。また、複数の機能の中からある機能を選択すると選択された機能の機能キーが拡大されるものがある。（例えば、特許文献１参照）。
【特許文献１】特開２００１−１６９０３９号公報
【発明の開示】
【発明が解決しようとする課題】
【０００３】
ところで、複数の機能の中からある一つの機能（例えばコピー）を選択し、その機能の各種設定（例えばコピー枚数や縮尺設定など）をしている際に、別の機能（例えばファクス）の機能キーを誤って押してしまうと、それまで設定していた内容がリセットされてしまい、再度初めから設定しなおさなければならない虞がある。また、ある一つの機能を実行しているときに、同時に別の機能の処理状況が分からないと使用者にとって非効率となる虞がある。
【０００４】
そこで、本発明は、上記事情を鑑みてなされたものであり、複合機において、ある機能の各種設定をしている際に、別の機能を誤操作により選択されることを防止でき、かつ、使用者が効率よく利用することができるタッチパネル式の操作表示装置を提供することを目的とする。
【課題を解決するための手段】
【０００５】
上記の課題を解決するために、請求項１に記載した発明は、各種操作に対応した複数の機能キーが、同時に表示部に表示されるタッチパネル式の操作表示装置において、一の前記機能キーが選択された場合に、選択されなかった他の前記機能キーが押圧されても該機能キーからの入力要求を不許可とする無効手段を設けたことを特徴とする。
このように構成することで、ある一つの機能を操作中に誤って他の機能を選択してしまうことがなくなる。
【０００６】
請求項２に記載した発明は、前記複数の機能キーの動作状況が常に前記表示部に表示されることを特徴とする。
このように構成することで、複数の機能の状況を常に一見して確認することができる。
【発明の効果】
【０００７】
請求項１に記載した発明によれば、ある一つの機能を操作中に誤って他の機能を選択してしまうことがなくなるため、誤操作により初めから各種操作の設定を初めからやり直さなければならない状況を回避することができ、使用者が効率よく利用することができる効果がある。
【０００８】
請求項２に記載した発明によれば、複数の機能の状況を常に一見して確認することができるため、使用者が実行した機能が完了する時間を推測することができ、複合機の前で出力されるのを待つ無駄な時間を少なくすることができる。その結果、使用者が効率よく利用することができる効果がある。
【発明を実施するための最良の形態】
【０００９】
次に、本発明の実施形態を図１〜図８に基づいて説明する。
本実施形態では、複数の機能を有する複合機にタッチパネル式の操作表示装置が搭載された場合について説明する。
図１に示すように、複合機１は、図示しない画像記憶部、画像処理部、印刷部及び制御部などを備えた複合機本体３が下部に形成されている。複合機本体３の上部手前側に複合機１の複数の機能の各種操作を実行するための操作部５と、透明電極からなるタッチパネル７が全面に配された表示部９とを備えた操作表示装置１１が構成され、複合機本体３の上部で操作表示装置１１以外の部分には、原稿画像を自動的に給紙するための自動原稿送り装置（ＡＤＦ）１３と、原稿画像を読み取るためのスキャナ部１５とを備えた画像読取部１７が構成されている。複合機１は、コピー、プリンタ、ファクス及びスキャナの機能を有している。
【００１０】
図２に示すように、操作表示装置１１は、操作部５と表示部９とから構成されている。操作部５は、使用者による各種の操作指示を受け付け、当該操作指示内容を制御部３３に出力する複数のボタン１９で構成されたものである。ボタン１９は、コピー作業やファクス送信作業などを起動するスタートキー１９ａ、コピー枚数やファクスの電話番号などを設定するテンキー１９ｂ、初期設定画面を起動などするファンクションキー１９ｃなどから構成されている。
【００１１】
次に、図３に示すように、表示部９はカラー又はモノクロ液晶ディスプレイ（ＬＣＤ）で構成されており、制御部３３から入力された表示指示に基づいて各種画像、文字、図形などで各種情報を表示される。また、使用者が表示部９に表示された機能キー２１〜２５に触れることによってタッチパネル７が機能し、入力された操作指示を制御部３３に出力される。ここで、表示部９は、コピー、プリンタ、ファクス及びスキャナの各機能毎に機能キーが略同じ大きさで、コピー機機能キー２１、プリンタ機能キー２２、ファクス機能キー２３、及びスキャナ機能キー２４が表示されており、各機能に共通した機能キーについては、表示部９の右側にＯＫキーやキャンセルキーなどの複数の共通機能キー２５が表示されている。
【００１２】
図４に示すように、複合機１は、主に操作部５、表示部９、画像読取部１７、画像記憶部２７、画像処理部２９、印刷部３１及び制御部３３から構成されている。操作部５及び表示部９は、上述の通り、制御部３３と通信可能に接続されており、複数の機能の各種操作に対する送受信が行われるように構成されている。
画像読取部１７は、自動原稿送り装置（ＡＤＦ）１３とスキャナ部１５とを備えている。このような画像読取部１７は、制御部３３による制御の下に、自動原稿送り装置１３から供給された原稿がガラス面上に送られ、複合機本体３に内蔵されたスキャナ部１５にて原稿の画像を順次読み取り、原稿画像の色彩を示すカラー画像データを画像記憶部２７に出力する。
【００１３】
画像記憶部２７は、ハードディスクなどの外部記憶装置或いは／及び半導体メモリから構成されており、画像読取部１７から入力された原稿画像のカラー画像データを記憶する。この画像記憶部２７は、制御部３３による制御の下に、読み取られた原稿画像のカラー画像データの書き込みを行うと共に、当該カラー画像データを読み出して画像処理部２９に出力する。
【００１４】
画像処理部２９は、制御部３３による制御の下に、画像記憶部２７から入力されたカラー画像データを印刷用のデータに画像変換して印刷部３１に出力する。
【００１５】
印刷部３１は、制御部３３による制御の下に、印刷紙を搬送しつつ当該印刷紙にトナーを付着させることにより、上記カラー画像データに基づいて原稿画像を印刷紙上に出力する印刷手段である。
【００１６】
制御部３３は、操作部５或いは表示部９のタッチパネル７から入力される操作指示、内部メモリに記憶された制御プログラム及び各種制御用データなどに基づいて、複合機１の全体動作を制御するものである。即ち、制御部３３は、上記操作指示、制御プログラム及び各種制御用データなどに基づいて制御演算を行うＣＰＵ（Central Processing Unit）及び他の各部（つまり操作部５、表示部９、画像読取部１７、画像記憶部２７、画像処理部２９、及び印刷部３１）とのデータ授受を行う各種入出力インタフェース回線などから構成されており、上記他の各部を統括的に制御することによって、コピーやスキャナの機能を使用して画像読取部１７が読み取った原稿画像を印刷部３１より印刷したり、外部から受信した原稿データをプリンタとして印刷したり、又は受信したファクスデータを印刷したりすることができるようになっている。
更に、制御部３３は、複数の機能キー２１〜２４のうちいずれか一つの機能キーが選択された場合に、選択されなかった他の機能キーは押圧されても入力要求を不許可とする無効手段を備えている。
【００１７】
次に、作用について説明する。
複合機１は、電源がＯＮされており、スタンバイ状態である。この状態でコピーをする場合は、コピーをする原稿を自動原稿送り装置１３にセットし、その前後にコピー機能キー２１を選択する。その後、表示部９のタッチパネル７や操作部５のテンキー１９ｂなどで用紙サイズ、コピー枚数、濃度、倍率などを設定し、スタートボタン１９ａを押すことでコピーが開始される。
コピーが開始されると、原稿は自動原稿送り装置１３からスキャナ部１５へと搬送され、スキャナ部１５において原稿が読み取られる。読み取られた原稿の画像データは複合機本体３の内部に設けられた画像記憶部２７から画像処理部２９へと送られた後、印刷部３１へデータが送られ、複合機本体３に内蔵されたトナーにより印刷紙へ印字され、印刷物として排出される。
【００１８】
また、プリンタとして機能する場合は、外部にＬＡＮケーブルなどを介して接続されている図示しないパソコンなどから受信した原稿の画像データが画像記憶部２７から画像処理部２９へと送られた後、印刷部３１へデータが送られ、複合機本体３に内蔵されたトナーにより印刷紙へ印字され、印刷物として排出される。ここで、プリンタ機能キー２２を押すことで、出力される印刷物のトナー濃度や縮尺などを設定することができる。
【００１９】
ファクスとして機能する場合は、送信時と受信時とがある。送信時は、原稿を自動原稿送り装置１３にセットし、その前後にファクス機能キー２３を選択する。その後、表示部９のタッチパネル７や操作部５のテンキー１９ｂなどで送信先の電話番号や解像度などを設定し、スタートボタン１９ａを押すことでファクス送信が開始される。ファクス送信が開始されると、原稿は自動原稿送り装置１３からスキャナ部１５へと搬送され、スキャナ部１５において原稿が読み取られる。読み取られた原稿の画像データは複合機本体３の内部に設けられた画像記憶部２７に一旦データが保管された後、公衆電話回線を介して変調した画像データが送信先のファクシミリ装置に送信される。
【００２０】
また、ファクスの受信時は、公衆電話回線を介して受信した画像データを一旦画像記憶部２７に保管した後に、画像データを復調して画像処理部２９へと送り、その後印刷部３１へデータが送られ、複合機本体３に内蔵されたトナーにより印刷紙へ印字され、印刷物として排出される。
【００２１】
スキャナとして機能する場合は、スキャニングする原稿を自動原稿送り装置１３にセットし、その前後にスキャナ機能キー２４を選択する。その後、表示部９のタッチパネル７で解像度や倍率などを設定し、スタートボタン１９ａを押すことでスキャニングが開始される。
スキャニングが開始されると、原稿は自動原稿送り装置１３からスキャナ部１５へと搬送され、スキャナ部１５において原稿が読み取られる。読み取られた原稿の画像データは複合機本体３の内部に設けられた画像記憶部２７から画像処理部２９へと送られた後、印刷部３１へデータが送られ、複合機本体３に内蔵されたトナーにより印刷紙へ印字され、印刷物として排出される。また、スキャニングした画像データは、ＬＡＮケーブルなどを介して外部に接続されている図示しないパソコンなどで見ることができる。
【００２２】
ここで、本実施形態における操作表示装置１１の表示方法及び制御方法について説明する。
図５に示すように、ステップ１（Ｓ１）では、表示部９に表示された各種機能に対応した機能キー２１〜２４の入力受付を行う。機能キー２１〜２４のいずれか一つが押圧されるとステップ２（Ｓ２）へと進む。
【００２３】
図６に示すように、ステップ２では押圧された機能キーの色を他の機能キーとは異なる色に切り替え、ステップ３（Ｓ３）へ進む。ステップ３では、選択された機能キーの詳細設定が終了し実行されるまでは、他の機能キーは押してもその入力要求を不許可とする無効手段を機能させ、ステップ４（Ｓ４）へ進む。ステップ４では、選択した機能の詳細設定を行っている最中に他の機能キーが押圧されたか否かを判断し、他の機能キーが押圧された場合にはステップ５（Ｓ５）へ進み、押圧されていない場合にはステップ６（Ｓ６）へ進む。
【００２４】
図７に示すように、ステップ５では選択された機能の詳細設定を行っている最中に他の機能キーを押圧してしまった場合は、表示部９に「そのキー操作は無効です。」などの表示を行う。この表示はある一定時間表示して自動的に消えるようにしても良いし、共通機能キー２５の中にあるキャンセルキーを押して消えるようにしても良い。表示が消えたらステップ６へと進む。ステップ６では、選択している機能の詳細設定を行う。
【００２５】
ステップ７（Ｓ７）では、詳細設定が完了し、共通機能キー２５の中にある実行キー又はスタートキー１９ａが押されたか否かを判断する。実行キー又はスタートキー１９ａが押されていない場合は、まだ詳細設定作業中ということで、ステップ４に戻り、同じ作業を繰り返す。実行キー又はスタートキー１９ａを押した場合には、一つの作業が完了したということで終了し、同時に他の機能キーの入力要求不許可状態（無効手段）が解除される。
【００２６】
そして、図８に示すように、例えばコピー機能キー２１を押してコピー機能を選択して印刷紙への出力前に、他の機能であるプリンタ出力が開始された場合、プリンタ機能キー２２の表示領域内に「プリンタ出力中です。」などのプリンタ機能の処理状況を表示し、使用者に対して間接的に印刷紙への出力順序を知らせる。同様に、ファクス機能が開始された場合には、ファクス機能キー２３の表示領域内に「ファクス受信中です。」などの表示を行う。
【００２７】
本実施形態では、複数の機能を有する複合機において、表示部に表示された複数の機能キーの内から一つの機能キーを選択すると、選択した機能の各種操作の設定が完了するまでは、他の機能の機能キーを押しても反応しないようにする無効手段を備えているため、誤って他の機能キーを押してしまっても、それまで設定していた操作内容がリセットされることがなくなる。したがって、使用者が効率よく複合機を使用することができる。
また、複数の機能キーを常に表示して、各機能の処理状況を表示するようにしたため、使用者が各機能の処理状況を一見して確認することができ、使用者が実行しようとしている機能が完了する時間を推測することができるようになる。そのため、使用者が必要としている出力結果が複合機本体から排出されるのを複合機の前で待ち続ける状況を回避することができる。結果として、使用者にとって効率を良くすることができる。
【００２８】
尚、本発明は上述した実施形態に限られるものではなく、例えば以下のような態様も採用可能である。
本実施形態では、複合機に搭載した場合の説明をしたが、複写機やＡＴＭなどのタッチパネル式の操作表示装置に応用することもできる。
本実施形態では、表示部に各機能キーを略同じ大きさで表示する説明をしたが、機能の頻度などを考慮して機能キーの大きさを変えて表示しても良い。また、共通機能キーの位置は表示部の右側に配した場合の説明をしたが、位置は拘らない。
本実施形態では、選択した機能キーの色を切り替える説明をしたが、選択した機能キーの色はそのままで、他の機能キーの色を切り替えても良いし、特別色を切り替えなくても良い。
本実施形態では、各機能の処理状況を表示する説明をしたが、表示する際に処理枚数の経過情報や、推定処理時間を併せて表示しても良い。
【図面の簡単な説明】
【００２９】
【図１】本発明の実施形態における複写機の斜視図である。
【図２】本発明の実施形態における操作表示装置の斜視図である。
【図３】本発明の実施形態における表示部の平面図である。
【図４】本発明の実施形態における複写機のブロック図である。
【図５】本発明の実施形態における操作表示装置の表示方法及び制御方法を示すフローチャートである。
【図６】本発明の実施形態における表示部の平面図である。
【図７】本発明の実施形態における表示部の平面図である。
【図８】本発明の実施形態における表示部の平面図である。
【符号の説明】
【００３０】
９…表示部  １１…操作表示装置（タッチパネル式の操作表示装置）  ２１…コピー機能キー（機能キー）  ２２…プリンタ機能キー（機能キー）  ２３…ファクス機能キー（機能キー）  ２４…スキャナ機能キー（機能キー）
【図１】
2008009611.tif 000003
【図２】
2008009611.tif 000004
【図３】
2008009611.tif 000005
【図４】
2008009611.tif 000006
【図５】
2008009611.tif 000007
【図６】
2008009611.tif 000008
【図７】
2008009611.tif 000009
【図８】
2008009611.tif 000010